(57)【要約】【課題】光源部の放熱性に優れ、光照射効率が高く、消費エネルギー効率が良く、大光束化に有利なランプを提供する。【解決手段】ランプ１Ａは、ランプ中心軸５０の周りに間隔をあけて配置された３個以上の光源ユニット３を備え、各々の光源ユニット３から、３個以上の光源ユニット３で囲まれるランプ内部空間６０へ出射した光が、他の２個の光源ユニット３の間を通って、ランプ外部空間へ導かれる。各々の光源ユニット３は、ランプ中心軸５０に対し平行または傾斜した方向を長手方向とする細長い形状を有する。【選択図】図１
2016051582.tif 000002
【特許請求の範囲】
【請求項１】
ランプ中心軸の周りに間隔をあけて配置された３個以上の光源ユニットを備え、
各々の前記光源ユニットから、前記３個以上の前記光源ユニットで囲まれるランプ内部空間へ出射した光が、他の２個の前記光源ユニットの間を通って、ランプ外部空間へ導かれるランプ。
【請求項２】
各々の前記光源ユニットは、前記ランプ中心軸に対し平行または傾斜した方向を長手方向とする細長い形状を有する請求項１に記載のランプ。
【請求項３】
各々の前記光源ユニットは、発光素子及び配光制御要素を有し、前記発光素子から前記配光制御要素に入射する光のビーム角に比べて、前記配光制御要素から出射する光のビーム角が狭い請求項１または請求項２に記載のランプ。
【請求項４】
前記ランプ中心軸に対し垂直な断面において、各々の前記光源ユニットから出射する光の１／２ビーム角は、当該光源ユニットと、当該光源ユニットから出射する光の光軸が間に通る他の２個の前記光源ユニットとをそれぞれ結ぶ二つの線分がなす角度以下である請求項１から請求項３のいずれか一項に記載のランプ。
【請求項５】
各々の前記光源ユニットは、光を出射する側と反対側に設けられたヒートシンクを備え、前記ヒートシンクが前記ランプ外部空間に面する請求項１から請求項４のいずれか一項に記載のランプ。
【請求項６】
隣り合う前記光源ユニットの間の空間を覆う透光性カバーを備える請求項１から請求項５のいずれか一項に記載のランプ。
【請求項７】
前記透光性カバーは、光を拡散させる機能を有する請求項６に記載のランプ。
【請求項８】
前記３個以上の前記光源ユニットは、前記ランプ中心軸から等距離、かつ、前記ランプ中心軸の周りに等角度間隔に配置されている請求項１から請求項７のいずれか一項に記載のランプ。
【請求項９】
隣り合う２個の前記光源ユニットの間に形成される開口部の縁に沿って設けられたヒートパイプを備える請求項１から請求項８のいずれか一項に記載のランプ。
【発明の詳細な説明】
【技術分野】
【０００１】
本発明は、ランプに関する。
【背景技術】
【０００２】
例えば水銀ランプなどの従来型のランプの代替となる、省エネルギー、長寿命、耐環境性等に優れた、大型のＬＥＤ（Ｌｉｇｈｔ  Ｅｍｉｔｔｉｎｇ  Ｄｉｏｄｅ）ランプが求められている。ＬＥＤ光源は、高温になると、発光効率が低下し、寿命も短くなる。ＬＥＤ光源の発光効率を高くし、寿命を長くするには、ＬＥＤ光源からの放熱性を高くし、ＬＥＤ光源の温度をなるべく低くすることが望まれる。
【０００３】
下記特許文献１には、発光素子が実装される実装基板を有する平板状の光源ユニットの裏面を内側に向け、ランプ中心軸の周りに、上記光源ユニットを複数配置したランプが開示されている。このランプは、光源ユニットの裏面側に、放熱フィン、及び、空気が流通する空間を設けている。しかしながら、このランプでは、放熱フィンが複数の光源ユニットで囲まれた空間にあるため、当該空間に熱がこもり易く、放熱フィンからの放熱性が良くない。放熱性を向上するには、放熱フィンを大型化する必要があり、重量が重くなるという問題がある。
【０００４】
下記特許文献２には、電球本体とＬＥＤ部とヒートシンク部とを備えたＬＥＤ電球装置が開示されている。ＬＥＤ部が備えるＬＥＤは、発光面を電球本体に向け、電球本体の外表面に沿って配置される。ＬＥＤからの光が内向きに電球本体内部へ導かれ、その後、電球本体内部から電球本体外部へ外向きに導かれる。ヒートシンク部は、ＬＥＤの発光面と反対側に備えられる。
【先行技術文献】
【特許文献】
【０００５】
【特許文献１】国際公開第２０１３／０６９４４６号パンフレット
【特許文献２】特表２０１１−５２３１８０号公報
【発明の概要】
【発明が解決しようとする課題】
【０００６】
特許文献２のＬＥＤ電球装置では、ヒートシンク部が電球本体の外部空間に面しているので、ヒートシンク部からの放熱性が良好になる。しかしながら、以下のような問題がある。ＬＥＤから発せられた光は、電球本体の外表面から電球本体内部に入り、電球本体内部から電球本体外部へ出射する。このように、ＬＥＤから発せられた光が電球本体の壁を２回透過して外部に照射されるため、光が減衰し、光照射効率が低く、消費エネルギー効率が良くなく、大光束化に不利である。
【０００７】
また、特許文献２のＬＥＤ電球装置では、ＬＥＤから発せられた光の一部は、電球本体の外表面で反射し、電球本体内部に入らないため、光照射効率がさらに低下する。電球本体は、通常、光を拡散する機能を有している。電球本体が光を拡散する機能を有する場合には、ＬＥＤから発せられた光が、電球本体の外表面で乱反射することで、電球本体内部に入れる光の割合がさらに低くなり、光照射効率がさらに低下する。
【０００８】
本発明は、上述のような課題を解決するためになされたもので、光源部の放熱性に優れ、光照射効率が高く、消費エネルギー効率が良く、大光束化に有利なランプを提供することを目的とする。
【課題を解決するための手段】
【０００９】
本発明に係るランプは、ランプ中心軸の周りに間隔をあけて配置された３個以上の光源ユニットを備え、各々の光源ユニットから、３個以上の光源ユニットで囲まれるランプ内部空間へ出射した光が、他の２個の光源ユニットの間を通って、ランプ外部空間へ導かれるものである。
【発明の効果】
【００１０】
本発明のランプによれば、各々の光源ユニットからランプ内部空間へ出射した光が、他の２個の光源ユニットの間を通って、ランプ外部空間へ導かれるようにしたことで、光源部の放熱性に優れ、光照射効率が高く、消費エネルギー効率が良く、大光束化に有利なランプを提供することが可能となる。
【図面の簡単な説明】
【００１１】
【図１】本発明の実施の形態１のランプを示す斜視図である。
【図２】図１に示すランプが備える光源ユニットを示す分解斜視図である。
【図３】光源ユニットが備えるレンズアレイカバーの変形例を示す斜視図である。
【図４】本発明の実施の形態１のランプをランプ中心軸の先端側から見た図（ただし、先端側支持体を取り外した状態）である。
【図５】ランプ中心軸に対し垂直な断面における光源ユニットのビーム角を説明するための図である。
【図６】本発明の実施の形態２のランプを示す斜視図である。
【図７】図３に示すランプをランプ中心軸の先端側から見た図（ただし、先端側支持体を取り外した状態）である。
【図８】本発明の実施の形態３のランプを示す斜視図である。
【図９】本発明の実施の形態４のランプを示す斜視図である。
【図１０】本発明の実施の形態５のランプを示す斜視図である。
【図１１】本発明の実施の形態６のランプを示す斜視図である。
【図１２】本発明の実施の形態７のランプを示す斜視図である。
【発明を実施するための形態】
【００１２】
以下、図面を参照して本発明の実施の形態について説明する。なお、各図において共通する要素には、同一の符号を付して、重複する説明を省略する。
【００１３】
実施の形態１．
図１は、本発明の実施の形態１のランプを示す斜視図である。図２は、図１に示すランプが備える光源ユニットを示す分解斜視図である。図１に示すように、本実施の形態１のランプ１Ａは、ねじ込み式の口金２を備える。以下の説明では、口金２の中心軸を通る直線をランプ１Ａのランプ中心軸５０と称する。また、口金２側を「基端側」とし、その反対側を「先端側」とする。ランプ１Ａは、屋内及び屋外の照明器具（例えば街路灯器具、道路灯器具、高天井器具など）において、従来のＨＩＤ（Ｈｉｇｈ  Ｉｎｔｅｎｓｉｔｙ  Ｄｉｓｃｈａｒｇｅｄ）ランプの代替として使用することができる。ランプ１Ａは、設置状態で、口金２が上向きまたは斜め上向き、口金２が下向きまたは斜め下向き、口金２が横向きなど、いずれの向きでも使用できる。
【００１４】
ランプ１Ａは、ランプ中心軸５０の周りに間隔をあけて配置された３個の光源ユニット３と、光源ユニット３の基端部を支持する基端側支持体８と、光源ユニット３の先端部を支持する先端側支持体９と、口金２と基端側支持体８との間を連結する円柱状のハブ部１０とをさらに備える。光源ユニット３は、細長い形状を有する。各々の光源ユニット３は、当該光源ユニット３の長手方向がランプ中心軸５０に対し平行になるように配置されている。光源ユニット３は、ランプ中心軸５０に対し平行な方向に直線的に延びる。ランプ１Ａが備える３個の光源ユニット３は、ランプ中心軸５０から等距離、かつ、ランプ中心軸５０の周りに等角度間隔（本実施の形態１では１２０°間隔）に配置されている。ランプ１Ａが備える３個の光源ユニット３で囲まれる空間を以下「ランプ内部空間６０」と称する。また、ランプ内部空間６０の外側の空間をランプ外部空間と称する。光源ユニット３は、光を出射する側をランプ内部空間６０に向けて配置されている。各々の光源ユニット３は、ランプ内部空間６０へ直接、光を出射する。各々の光源ユニット３から出射した光（光束または光芒）の大半（例えば５０％以上）は、他の２個の光源ユニット３の間（隣り合う光源ユニット３同士の間）を通って、ランプ内部空間６０からランプ外部空間へ導かれる。ランプ内部空間６０は、光を遮る障害物の存在しない、一つにまとまった空間となる。
【００１５】
図２に示すように、光源ユニット３は、複数のＬＥＤ光源５（発光素子）を表面側に実装した光源基板４と、光源基板４の裏面側に設けられたヒートシンク６と、光源基板４を表面側から覆うレンズアレイカバー７とを備える。本実施の形態１の光源ユニット３は、ＬＥＤ光源５として、１Ｗ〜数Ｗ級の面実装型小型ＬＥＤパッケージを用いている。ヒートシンク６は、光源基板４の裏面側に重なる平板状の板状部６ａと、光源基板４と反対側の板状部６ａの面から突出する板状の複数の放熱フィン６ｂとを有する。放熱フィン６ｂは、光源ユニット３の長手方向に沿って設けられている。ヒートシンク６は、ＬＥＤ光源５で発生した熱を空気へ放熱させる。ヒートシンク６は、図示の構成に限定されるものではない。例えば、ヒートシンク６は、板状の放熱フィン６ｂに代えて、ピンフィンを備えるものでも良い。
【００１６】
レンズアレイカバー７は、配光制御要素である凸レンズ部７ａを有する。凸レンズ部７ａは、光源基板４に実装された複数のＬＥＤ光源５の各々に対応する位置に個別に設けられている。ＬＥＤ光源５から発せられた光は、凸レンズ部７ａを通り、光源ユニット３から出射する。ＬＥＤ光源５から凸レンズ部７ａに入射する光のビーム角に比べて、凸レンズ部７ａから出射する光のビーム角が狭くなる。
【００１７】
光源基板４及びＬＥＤ光源５は、ヒートシンク６及びレンズアレイカバー７で覆われることで密封される。レンズアレイカバー７は、透光性及び防水防湿性を有する。レンズアレイカバー７は、光源基板４及びＬＥＤ光源５の全体を覆う形に成形される。レンズアレイカバー７の構成材料は、耐湿性、耐水性、耐光性などに優れた材料が望ましい。あるいは、レンズアレイカバー７に耐光性コートまたは耐水性コートなどを施すことで、それらの特性を付与しても良い。レンズアレイカバー７とヒートシンク６との接合部は、防水防湿性を有する構成とする。そのような構成としては、例えば、ヒートシンク６に、レンズアレイカバー７の外周部が嵌合する取り付け溝（図示省略）を形成し、その嵌合部の周囲を例えばシリコーン系の防湿性樹脂でコーティングする構成が挙げられる。このように、本実施の形態１のランプ１Ａでは、レンズアレイカバー７を設け、その取り付け部の防水防湿性を確保したことにより、光源基板４及びＬＥＤ光源５を環境から確実に保護することができる。このため、ランプ１Ａ全体としても、優れた耐環境性を発揮するため、屋外に設置される照明器具にも好ましく使用することができる。
【００１８】
図３は、光源ユニット３が備えるレンズアレイカバーの変形例を示す斜視図である。図２に示すレンズアレイカバー７に代えて、図３に示すレンズアレイカバー１１を光源ユニット３に備えても良い。レンズアレイカバー１１は、配光制御要素であるフレネルレンズ部１１ａを有する。フレネルレンズ部１１ａは、各々のＬＥＤ光源５に対応して、複数設けられている。ＬＥＤ光源５から発せられた光は、フレネルレンズ部１１ａを通り、光源ユニット３から出射する。ＬＥＤ光源５からフレネルレンズ部１１ａに入射する光のビーム角に比べて、フレネルレンズ部１１ａから出射する光のビーム角が狭くなる。なお、本発明における配光制御要素は、上述した凸レンズ部７ａ及びフレネルレンズ部１１ａに限定されるものではない。図示を省略するが、光源ユニット３の長手方向に沿って延びるシリンドリカルレンズまたはリニアフレネルレンズを配光制御要素として用いても良い。
【００１９】
図１に示すように、ヒートシンク６は、ランプ外部空間に面する。このため、ヒートシンク６の周囲に対流等で空気が流れやすく、ヒートシンク６の周囲に熱がこもることがない。そのため、優れた放熱性が得られ、ＬＥＤ光源５を低温化することができるので、ＬＥＤ光源５の高発光効率化及び長寿命化が図れる。特に、ランプ１Ａの設置状態での向き（口金２が上向きまたは斜め上向き、口金２が下向きまたは斜め下向き、口金２が横向きなど）にかかわらず、いずれの向きでも優れた放熱性が得られる。また、ヒートシンク６がランプ外部空間に面することで、ヒートシンク６から輻射による放熱も促進される。そのため、さらに放熱性が向上する。
【００２０】
基端側支持体８は、ハブ部１０の先端部から各々の光源ユニット３へ向かって放射状に突出する複数の腕部を有する。これらの腕部が各々の光源ユニット３のヒートシンク６の基端部に固定されている。先端側支持体９は、環状の形状を有する。各々の光源ユニット３のヒートシンク６の先端部は、先端側支持体９に固定されている。先端側支持体９は、略三角形をなし、その頂点部分にヒートシンク６の先端部が固定されている。光源ユニット３（ヒートシンク６）と、基端側支持体８及び先端側支持体９との固定方法は、特に限定されないが、例えば差し込み、スライド、ネジ止め、あるいはそれら複合させた方法により固定することができる。口金２の内部、ハブ部１０の内部、及び基端側支持体８の内部を通る給電線（図示省略）を介して、各光源ユニット３へ給電できる。基端側支持体８と光源ユニット３との間の電気的接続を行うコネクタ（図示省略）を設けることで、ランプ１Ａの組立性を向上できる。
【００２１】
基端側支持体８及び先端側支持体９は、放熱性に優れた材料あるいは熱伝導率の高い材料（例えば金属材料）で形成することが好ましい。これにより、基端側支持体８及び先端側支持体９の表面からの放熱を促進でき、放熱性をさらに向上できる。また、基端側支持体８及び先端側支持体９の表面特性は、光拡散性及び高反射性を有することが望ましい。これにより、ランプ１Ａの周囲への光の拡散を向上でき、広配光化が図れる。
【００２２】
図４は、本実施の形態１のランプ１Ａをランプ中心軸５０の先端側から見た図（ただし、先端側支持体９を取り外した状態）である。図４に示すように、各々の光源ユニット３の光軸７０は、他の２個の光源ユニット３の間（隣り合う２個の光源ユニット３の間）を通る。光軸７０は、光源ユニット３の全体から出射する光（光束または光芒）の代表となる仮想的な光線である。本実施の形態１の光源ユニット３では、光源基板４におけるＬＥＤ光源５の配置領域の中心を通り、光源基板４に垂直な直線が光軸７０に相当する。図４に示すように、各々の光源ユニット３の光軸７０は、他の２個の光源ユニット３同士の中間点を通る。これにより、光源ユニット３から出射する光束または光芒がランプ内部空間６０からランプ外部空間へ照射されるとき、当該光束または光芒が他の２個の光源ユニット３で反射または遮断されることを抑制でき、光照射効率を向上できる。また、ランプ１Ａの外観において、各ヒートシンク６の向きをいずれも同じにでき、意匠性に優れる。また、本実施の形態１では、各々の光源ユニット３の光軸７０は、ランプ中心軸５０と交差する。
【００２３】
また、本実施の形態１では、３個の光源ユニット３が、ランプ中心軸５０から等距離、かつ、ランプ中心軸５０の周りに等角度間隔で配置されていることで、ランプ１Ａの周囲への配光を均等化できる。また、ランプ１Ａの外形を従来の水銀ランプ等の略円筒形状に近い外形とすることができる。このように、形状及び発光特性面で、従来の水銀ランプ等の代替に適したランプ１Ａを得ることができる。
【００２４】
光源ユニット３からランプ内部空間６０へ出射した光束または光芒が他の光源ユニット３で反射または遮断される割合を抑制する上では、光源ユニット３の幅が狭いこと（光源ユニット３が細長いこと）が望ましい。近年、ＬＥＤの発光特性（半導体チップの小型化及び高効率化）は飛躍的に向上している。このため、光源ユニット３をより小型化（細型化）できることが予想される。その結果、ランプ１Ａの光照射効率をさらに向上できる。
【００２５】
光源ユニット３はランプ内部空間６０に面しているので、光源ユニット３からランプ内部空間６０へ光が直接出射する。このため、光源ユニット３から光がランプ内部空間６０へ入るときに光が反射または減衰することがないので、高い光照射効率が得られる。よって、良好な消費エネルギー効率が得られるとともに、ランプ１Ａの大光束化にも有利である。
【００２６】
ランプ１Ａによれば、光源ユニット３の長手方向の長さを適宜設定することで、ランプ長に対するランプ発光域比率を任意に設定できる。例えば、従来の水銀ランプの代替としてランプ１Ａを用いる場合、所定のランプ長に対するランプ発光域比率に合わせて、有効発光域を広くすることが可能である。
【００２７】
本実施の形態１では、光源ユニット３に配光特性を狭配光化する配光制御要素（凸レンズ部７ａ、フレネルレンズ部１１ａ）を設けたことで、光源ユニット３からランプ内部空間６０へ出射した光束または光芒が他の光源ユニット３で反射または遮断される割合をより有効に抑制でき、ランプ１Ａの光照射効率をさらに向上できる。また、本実施の形態１では、複数の配光制御要素をレンズアレイとして一体的に形成すると共に、防水防湿性を有するカバーとして光源基板４及びＬＥＤ光源５を覆うようにしたことで、部品点数を削減しつつ、屋外環境使用にも適したランプ１Ａを得ることができる。
【００２８】
図５は、ランプ中心軸５０に対し垂直な断面における光源ユニット３のビーム角を説明するための図である。図５中で左側にある光源ユニット３のビーム角について説明する。当該光源ユニット３から出射する光の１／２ビーム角をθとする。１／２ビーム角とは、最大光度の１／２の光度になる光の開き角度である。当該光源ユニット３の光軸７０の位置の光度ｂが最大になる。光軸７０に対して、光度ａが最大光度ｂの１／２になるような角度の２倍角が１／２ビーム角に相当する。線分８０及び８１は、当該光源ユニット３と、当該光源ユニット３の光軸７０が間に通る他の２個の光源ユニット３とをそれぞれ結ぶ線分である。すなわち、線分８０は、当該光源ユニット３と、他の２個の光源ユニット３の一方とを結び、線分８１は、当該光源ユニット３と、他の２個の光源ユニット３の他方とを結ぶ。線分８０及び８１は、各光源ユニット３の同じ箇所同士を結ぶように引くものとする。当該光源ユニット３の１／２ビーム角θの大きさは、線分８０及び８１がなす角度の大きさ以下であることが望ましい。これにより、光源ユニット３から出射する光束または光芒が他の２個の光源ユニット３で反射または遮断される割合をより有効に抑制でき、ランプ１Ａの光照射効率をさらに向上できる。図５では、当該光源ユニット３の１／２ビーム角θの大きさが、線分８０及び８１がなす角度の大きさに等しい場合を示している。上記の説明では、図５中で左側にある光源ユニット３のビーム角について説明したが、ランプ１Ａが備える他の光源ユニット３のビーム角も同様の条件を満足することが望ましい。
【００２９】
本実施の形態１では、光源ユニット３の発光素子として、面実装型小型ＬＥＤパッケージ（ＬＥＤ光源５）を用いているが、本発明における発光素子は、これに限定されるものではなく、例えば、数千〜数万ｌｍ／個の大光束のＣＯＢ（Ｃｈｉｐ  ｏｎ  Ｂｏａｒｄ）型のＬＥＤ光源を用いてもよい。ＣＯＢ型のＬＥＤ光源は、金属系基板もしくはセラミック基板等の放熱性基板に複数のＬＥＤベアチップを直接に実装して樹脂封止する構成としたものである。あるいは、砲弾型ＬＥＤを発光素子として用いても良い。砲弾型ＬＥＤは指向性が高いため、配光制御要素が無くても、前述したビーム角の条件を満足することが可能となる。また、本発明では、ＬＥＤ光源に限らず、例えば有機ＥＬ光源等を発光素子として用いてもよい。
【００３０】
実施の形態２．
次に、図６及び図７を参照して、本発明の実施の形態２について説明するが、上述した実施の形態１との相違点を中心に説明し、同一部分または相当部分は同一符号を付し説明を省略する。図６は、本発明の実施の形態２のランプを示す斜視図である。図７は、図３に示すランプ１Ｂをランプ中心軸５０の先端側から見た図（ただし、先端側支持体９を取り外した状態）である。
【００３１】
図６に示すように、本実施の形態２のランプ１Ｂは、４個の光源ユニット３を備える。４個の光源ユニット３は、ランプ中心軸５０から等距離、かつ、ランプ中心軸５０の周りに等角度間隔（本実施の形態２では９０°間隔）に配置されている。基端側支持体８は、環状の形状を有する環状部８ａと、複数の腕部８ｂとを有する。環状部８ａは、略四角形（略正方形）をなし、その頂点部分に各々の光源ユニット３のヒートシンク６の基端部が固定されている。複数の腕部８ｂは、ハブ部１０の先端部から放射状に突出し、環状部８ａに連結固定されている。先端側支持体９は、略四角形（略正方形）の環状の形状を有し、その頂点部分に、各々の光源ユニット３のヒートシンク６の先端部が固定されている。
【００３２】
図７に示すように、各々の光源ユニット３の光軸７０は、隣り合う他の２個の光源ユニット３の間を通る。隣り合う２個の光源ユニット３の間には、他の一つの光源ユニット３の光軸７０のみが通る。隣り合う２個の光源ユニット３の間に、複数の光源ユニット３の光軸７０が通ることはない。このようにすることで、ランプ１Ｂの周囲への配光を均等化できる。本実施の形態２では、各々の光源ユニット３の光軸７０は、ランプ中心軸５０と交差しない。
【００３３】
実施の形態３．
次に、図８を参照して、本発明の実施の形態３について説明するが、上述した実施の形態１との相違点を中心に説明し、同一部分または相当部分は同一符号を付し説明を省略する。図８は、本発明の実施の形態３のランプを示す斜視図である。
【００３４】
図８に示す本実施の形態３のランプ１Ｃは、５個の光源ユニット３を備える。５個の光源ユニット３は、ランプ中心軸５０から等距離、かつ、ランプ中心軸５０の周りに等角度間隔（本実施の形態３では７２°間隔）に配置されている。先端側支持体９は、略五角形の環状の形状を有し、その頂点部分に、各々の光源ユニット３のヒートシンク６の先端部が固定されている。
【００３５】
各々の光源ユニット３の光軸７０は、当該光源ユニット３からの距離が最も遠い他の２個の光源ユニット３の間を通る。隣り合う２個の光源ユニット３の間には、他の一つの光源ユニット３の光軸７０のみが通る。隣り合う２個の光源ユニット３の間に、複数の光源ユニット３の光軸７０が通ることはない。このようにすることで、ランプ１Ｃの周囲への配光を均等化できる。本実施の形態３では、各々の光源ユニット３の光軸７０は、ランプ中心軸５０と交差する。
【００３６】
上述した実施の形態１から３では、光源ユニット３の数が３個から５個の場合について説明したが、本発明における光源ユニット３の数は６個以上でも良い。実施の形態１及び３のように、光源ユニット３の数が奇数の場合には、各々の光源ユニット３の光軸７０がランプ中心軸５０と交差するように構成できる。この場合、ランプ周囲への配光を均等化する上で有利である。
【００３７】
実施の形態４．
次に、図９を参照して、本発明の実施の形態４について説明するが、上述した実施の形態１との相違点を中心に説明し、同一部分または相当部分は同一符号を付し説明を省略する。図９は、本発明の実施の形態４のランプを示す斜視図である。
【００３８】
図９に示す本実施の形態４のランプ１Ｄは、隣り合う光源ユニット３の間の空間（開口部）を覆う透光性カバー１２を備えること以外は、実施の形態１のランプ１Ａと同様である。透光性カバー１２は、透光性材料で形成された平板状の部材である。透光性カバー１２は、隣り合う２個の光源ユニット３の間に形成される長方形の開口部に合わせた形状をなしている。透光性カバー１２は、３組の隣り合う光源ユニット３の間に、それぞれ設置される。すなわち、ランプ１Ｄは、光源ユニット３の数と同じ数の透光性カバー１２を備える。透光性カバー１２は、ランプ内部空間６０と、ランプ外部空間とを隔てる壁となる。光源ユニット３からランプ内部空間６０へ直接出射した光は、透光性カバー１２を透過することで、ランプ内部空間６０からランプ外部空間へ導かれる。略三角形の形状を有する先端側支持体９の各辺と、各々の透光性カバー１２のランプ中心軸５０に垂直な一辺とがほぼ隙間なく接触または固定される。各々の透光性カバー１２のランプ中心軸５０に平行な二辺は、それぞれ、光源ユニット３の長手方向の辺に対しほぼ隙間なく接触または固定される。透光性カバー１２を設けたことで、光源ユニット３の光が出射する面（レンズアレイカバー７の表面）に汚れが付着することを抑制できる。特許文献２の構造とは異なり、光源ユニット３の発光面側の手前近傍には透光性カバーを備えておらず、光源ユニット３から出射した光が透光性カバー１２を透過する回数は１回である。このため、特許文献２の構造と比べ、ランプの光照射効率の低下を抑制できる。
【００３９】
透光性カバー１２は、光を拡散させる機能を有することが望ましい。図示を省略するが、透光性カバー１２の表面に、光を拡散させる微細構造（例えば、微細なプリズム状のパターン、微細な三角柱状のストライプパターンなど）を設けることで、光を屈折効果により拡散させる機能を透光性カバー１２に付与できる。透光性カバー１２が光を拡散させる機能を有する場合には、光源ユニット３から出射した光が、透光性カバー１２を透過してランプ外部の空間を照射するときに、ランプ１Ｄの周囲に拡散発光させることができ、ランプ１Ｄの周囲への配光をより均等化できる。光を拡散させる微細構造は、透光性カバー１２の内表面に形成せず、透光性カバー１２の外表面のみに形成することが望ましい。これにより、ランプ内部空間６０での多重反射による光損失を抑制できる。
【００４０】
環状の先端側支持体９により形成される開口部を覆う透光性カバー（図示省略）をランプ１Ｄにさらに設けても良い。これにより、光源ユニット３の光が出射する面（レンズアレイカバー７の表面）に汚れが付着することをより有効に抑制できる。
【００４１】
実施の形態５．
次に、図１０を参照して、本発明の実施の形態５について説明するが、上述した実施の形態４との相違点を中心に説明し、同一部分または相当部分は同一符号を付し説明を省略する。図１０は、本発明の実施の形態５のランプを示す斜視図である。
【００４２】
図１０に示す本実施の形態５のランプ１Ｅは、透光性カバー１２の形状が異なること以外は、実施の形態４のランプ１Ｄと同様である。本実施の形態５のランプ１Ｅが備える透光性カバー１２は、ランプ外部空間側が凸になるように湾曲した形状を有する。透光性カバー１２は、ランプ中心軸５０を母線とする円柱面に沿って湾曲する形状が好ましい。これにより、透光性カバー１２で囲まれる部分のランプ１Ｅの形状を略円筒状にできる。その結果、広配光性をさらに向上でき、光のカバー入射角が平坦カバーの場合と異なることで光透過性をさらに向上でき、また、意匠性をさらに向上できる。
【００４３】
実施の形態６．
次に、図１１を参照して、本発明の実施の形態６について説明するが、上述した実施の形態４との相違点を中心に説明し、同一部分または相当部分は同一符号を付し説明を省略する。図１１は、本発明の実施の形態６のランプを示す斜視図である。
【００４４】
図１１に示す本実施の形態６のランプ１Ｆは、基端側支持体８の形状が異なること以外は、実施の形態４のランプ１Ｄと同様である。本実施の形態６のランプ１Ｆが備える基端側支持体８は、略三角形の形状を有する。隣り合う２個の光源ユニット３、基端側支持体８の一辺、及び、先端側支持体９の一辺に対し、透光性カバー１２の四辺がほぼ隙間なく接触または固定される。このような構成により、本実施の形態６では、塵埃がランプ内部空間６０に入ることを透光性カバー１２がより確実に抑制できる。このため、実施の形態４に比べて、光源ユニット３の光が出射する面（レンズアレイカバー７の表面）に汚れが付着することをより有効に抑制できる。
【００４５】
実施の形態７．
次に、図１２を参照して、本発明の実施の形態７について説明するが、上述した実施の形態１との相違点を中心に説明し、同一部分または相当部分は同一符号を付し説明を省略する。図１２は、本発明の実施の形態７のランプを示す斜視図である。
【００４６】
図１２に示す本実施の形態７のランプ１Ｇは、基端側支持体８の形状が異なること、及び、ヒートパイプ１３を備えること以外は、実施の形態１のランプ１Ａと同様である。本実施の形態７のランプ１Ｇが備える基端側支持体８は、略三角形の形状を有する。ランプ１Ｇは、隣り合う２個の光源ユニット３、基端側支持体８の一辺、及び、先端側支持体９の一辺で囲まれる長方形の開口部を３箇所備える。ヒートパイプ１３は、上記開口部の形状に合わせた、長方形の環状をなす。ヒートパイプ１３は、隣り合う２個の光源ユニット３、基端側支持体８の一辺、及び、先端側支持体９の一辺に接するように取り付けられている。ヒートパイプ１３は、３箇所の開口部の縁部にそれぞれ設けられている。本実施の形態７では、ヒートパイプ１３を設けたことで、放熱性をさらに向上でき、ＬＥＤ光源５の温度をより低く抑えることができる。特に、ランプ１Ｇの設置状態での向き（口金２が上向きまたは斜め上向き、口金２が下向きまたは斜め下向き、口金２が横向きなど）にかかわらず、いずれの向きでも優れた放熱性が得られる。
【００４７】
以上、本発明の実施の形態について説明したが、本発明では、上述した複数の実施の形態の特徴を任意に組み合わせて実施しても良い。また、上述した各実施の形態では、光源ユニット３の長手方向がランプ中心軸５０に対し平行であるが、本発明では、光源ユニット３の長手方向が、その基端側あるいは先端側を中心に、ランプ中心軸５０に対し傾斜していても良い。光源ユニット３の長手方向がランプ中心軸５０に対し傾斜する場合の傾斜角度は、例えば、３０°以下程度が好ましい。すなわち、光源ユニット３の長手方向は、ランプ中心軸５０に対し、例えば０°〜３０°程度の方向であれば良い。
【符号の説明】
【００４８】
１Ａ，１Ｂ，１Ｃ，１Ｄ，１Ｅ，１Ｆ，１Ｇ  ランプ、２  口金、３  光源ユニット、４  光源基板、５  ＬＥＤ光源、６  ヒートシンク、６ａ  板状部、６ｂ  放熱フィン、７  レンズアレイカバー、７ａ  凸レンズ部、８  基端側支持体、８ａ  環状部、８ｂ  腕部、９  先端側支持体、１０  ハブ部、１１  レンズアレイカバー、１１ａ  フレネルレンズ部、１２  透光性カバー、１３  ヒートパイプ、５０  ランプ中心軸、６０  ランプ内部空間、７０  光軸、８０，８１  線分
【図１】
2016051582.tif 000003
【図２】
2016051582.tif 000004
【図３】
2016051582.tif 000005
【図４】
2016051582.tif 000006
【図５】
2016051582.tif 000007
【図６】
2016051582.tif 000008
【図７】
2016051582.tif 000009
【図８】
2016051582.tif 000010
【図９】
2016051582.tif 000011
【図１０】
2016051582.tif 000012
【図１１】
2016051582.tif 000013
【図１２】
2016051582.tif 000014